【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
Ｗｉ−Ｆｉワイヤレス通信のための方法であって、
第１のノードによって、前記第１のノードに関するメトリックに少なくとも部分的に基づいて無線ネットワークの第２のノードに関するエネルギー検出（ＥＤ）しきいレベルを決定することと、ここにおいて、前記メトリックは、経験された干渉に関連する、
前記第１のノードから前記第２のノードに、前記決定されたＥＤしきいレベルを示す第１のＥＤレベル設定要素をシグナリングすることと、
前記第２のノードを含む基本サービスセット（ＢＳＳ）内の全ノードを少なくとも２つのグループのノードに分類することと、
ノードの各グループに関する異なるＥＤしきいレベルを決定することと、
前記ＢＳＳにサービスを提供するアクセスポイントにノードの各グループに関する前記異なるＥＤしきいレベルを示す第２のＥＤレベル設定要素をシグナリングすることと、
を備える、Ｗｉ−Ｆｉワイヤレス通信のための方法。
【請求項２】
前記第１のノードおよび前記第２のノードのうちの少なくとも１つによって、前記無線ネットワーク内の１つまたは複数のノードに前記第１のノードおよび前記第２のノードのうちの前記少なくとも１つのＥＤレベル調整能力をシグナリングすることをさらに備える、
請求項１に記載の方法。
【請求項３】
前記第２のＥＤレベル設定要素は、前記第２のノードを含むノードの前記グループを特定するグループインジケータをさらに備える、
請求項１に記載の方法。
【請求項４】
前記第２のノードに関する前記ＥＤしきいレベルを決定することは、
前記第１のノードによって、前記第１のノードからの受信信号強度指示（ＲＳＳＩ）に関するデシベル（ｄＢ）の量として前記第２のＥＤレベル設定要素に関する前記ＥＤしきいレベルを決定することをさらに備え、ここにおいて、前記ＲＳＳＩは、前記第１のＥＤレベル設定要素を搬送するフレームまたは前記第１のノードからのいずれかのフレームによって決定されることができる、
請求項１に記載の方法。
【請求項５】
前記第１のノードによって送信されたフレームから受信信号強度指示（ＲＳＳＩ）を決定することをさらに備え、
ここにおいて、前記第１のＥＤレベル設定要素をシグナリングすることは、前記第２のノードの前記ＥＤしきいレベルを前記ＲＳＳＩに関するデシベル（ｄＢ）の量だけ調整するように前記第２のノードに命令するために前記ＲＳＳＩに関するｄＢの前記量をシグナリングすることをさらに備える、
請求項１に記載の方法。
【請求項６】
前記決定されたＥＤしきいレベルに合わせてのＥＤレベル調整を実行するためのタイムスケジュールをシグナリングすることをさらに備え、ここにおいて、前記タイムスケジュールは、単一の時間ウィンドウ開始時間と単一の時間ウィンドウ継続時間または周期的な時間ウィンドウ開始時間、周期的な時間ウィンドウ継続時間、期間、および期間の数のいずれかを特定する、
請求項１に記載の方法。
【請求項７】
範囲しきい値をシグナリングすることをさらに備え、ここおいて、前記範囲しきい値内にある追加のノードは、前記ＥＤしきいレベルに従うように命令され、２３ここにおいて、前記範囲しきい値は、
前記第１のノードからの地理上の半径、および、
前記第１のノードからのホップカウントしきい値、
のうちの１つまたは両方を特定する、
請求項１に記載の方法。
【請求項８】
前記第１のＥＤレベル設定要素は、ユニキャストまたはマルチキャストフレーム内で受信された前記第１のＥＤレベル設定要素に応答してブロードキャスト無視継続時間の間ブロードキャストフレーム内の前記第１のＥＤレベル設定要素を無視するように前記第２のノードに命令する前記ブロードキャスト無視継続時間をさらに備える、
請求項１に記載の方法。
【請求項９】
前記第１のノードにおいて、前記無線ネットワーク内の他のノードから、経験された干渉に関連するメトリックを収集することをさらに備え、ここにおいて、前記ＥＤしきいレベルを決定することは、前記他のノードから収集された前記メトリックに少なくとも部分的に基づく、
請求項１に記載の方法。
【請求項１０】
前記第１のノードによって、前記無線ネットワークのアクセスポイントのサービスが提供される全ノードに関する共通のＥＤしきいレベルを調整するように前記アクセスポイントに命令する前記第１のＥＤレベル設定要素を前記アクセスポイントに送信することと、
前記アクセスポイントによって、前記無線ネットワーク内の他のアクセスポイントに前記第１のＥＤレベル設定要素を転送することと、をさらに備える、
請求項９に記載の方法。
【請求項１１】
前記第２のノードを含む前記ＢＳＳ内の全ノードを少なくとも２つのグループのノードに分類することは、
前記ＢＳＳ内の各ノードに関して、前記ノードの性能メトリックがしきい値を超えるかどうかを決定すること、ここにおいて、前記性能メトリックは、前記ノードのスループット、前記ノードのパケット誤り率、アクセス遅延、再試行率、パケットレイテンシー、前記ノードとサービスを提供するアクセスポイントとの間の信号強度のうちの少なくとも１つを含む、と、
前記しきい値を超える前記性能メトリックを有する各ノードを第１のグループに分類することと、
前記しきい値を下回る前記性能メトリックを有する各ノードを第２のグループに分類することと、をさらに備える、
請求項１に記載の方法。
【請求項１２】
前記ＢＳＳ内の前記全ノードを分類することは、
前記無線ネットワーク内の全アクセスポイント間での共通の取り決めに基づいて前記ＢＳＳ内の各ノードを分類すること、をさらに備える、
請求項１１に記載の方法。
【請求項１３】
前記ノードの前記グループに基づいて前記ノードの各々に専用リソースを割り振ること、ここにおいて、前記専用リソースは、前記無線ネットワーク内の全アクセスポイント間での共通の取り決めに基づいて割り振られる、と、
前記グループに関する前記第２のＥＤレベル設定要素を介して前記グループに前記専用リソースをシグナリングすることと、をさらに備える、
請求項１に記載の方法。
【請求項１４】
前記第１のノードによって、近隣ノードに関する干渉状態を決定すること、ここにおいて、前記干渉状態は、近隣ノードが前記第１のノードの受信機に対する干渉物であるかどうかを含む、と、
前記干渉状態に少なくとも部分的に基づいて前記ＥＤしきいレベルに合わせて前記少なくとも１つ近隣ノードの前記ＥＤしきいレベルを調整するために、前記第１のノードによって、前記近隣ノードのうちの少なくとも１つに前記第１のＥＤレベル設定要素を送信することと、をさらに備える、
請求項１に記載の方法。
【請求項１５】
Ｗｉ−Ｆｉワイヤレス通信のための第１のノードであって、
前記第１のノードのメトリックに少なくとも部分的に基づいて無線ネットワークの第２のノードに関するエネルギー検出（ＥＤ）しきいレベルを決定し、ここにおいて、前記メトリックは、経験された干渉に関連し、前記第２のノードを含む基本サービスセット（ＢＳＳ）内の全ノードを少なくとも２つのグループに分類し、および各グループに関する異なるＥＤしきいレベルを決定するためのＥＤレベル決定ユニットと、
前記決定されたＥＤしきいレベルを示す第１のＥＤレベル設定要素と前記ＢＳＳにサービスを提供するアクセスポイントに各グループに関する前記異なるＥＤしきいレベルを示す第２のＥＤレベル設定要素をシグナリングするための送信機と、
を備える、Ｗｉ−Ｆｉワイヤレス通信のための第１のノード。